(57)【要約】【課題】清掃布の一端を線材に被覆固定し、被清掃管の一端から線材を挿入し、清掃布を被清掃管内に引き入れたとき、被清掃管の内周形状に沿って清掃布が面接触することを可能とし、被清掃管の内周面に付着した汚物を清掃布で除去可能とするとともに、被清掃管の内径が途中で変化する場合でも、この変化に対応可能とする。【解決手段】被清掃管（２）内への挿入用の軟弾性の線材（１）と、幅径を少なくとも被清掃管（２）の内周径以上とし、短冊状に形成し、線材（１）の軸方向と平行に又は軸方向に傾斜して長さ方向を配置するとともに一端部（７）で線材（１）を被覆固定し、この被覆固定部（８）とは反対側の他端方向を線材（１）とは非固定とした清掃布（６）とからなる。そして、被清掃管（２）の一端（３）から内部に線材（１）を挿入し、この線材（１）を被清掃管（２）の他端（４）から引いて清掃布（６）を被清掃管（２）内に引き入れたときに、清掃布（６）が線材（１）の外周を被覆しながら被清掃管（２）内に引き込まれることにより、清掃布（６）の外周面（１１）と被清掃管（２）の内周面（５）とが接触して、汚物の除去を行う。【特許請求の範囲】
【請求項１】
清掃目的の被清掃管内に挿入するための軟弾性の線材と、幅径を少なくとも被清掃管の内周径以上とし、短冊状に形成し、線材の軸方向と平行に又は軸方向に傾斜して長さ方向を配置するとともに一端部で線材の外周を両側から被覆して固定し、この被覆固定部とは反対側の他端方向を線材とは非固定とした清掃布とからなり、被清掃管の一端から内部に、線材を被覆固定部方向から挿入し、この線材を被清掃管の他端から引いて清掃布を被清掃管内に引き入れたときに、清掃布が線材の外周を被覆しながら被清掃管内に引き込まれることにより、清掃布の外周面と被清掃管の内周面とが接触して、汚物の除去を行うことを特徴とする管内の清掃器具。
【請求項２】
清掃目的の被清掃管内に挿入するための軟弾性の一方及び他方の線材と、幅径を少なくとも被清掃管の内周径以上とし、短冊状に形成し、一方の線材の軸方向と平行に又は軸方向に傾斜して長さ方向を配置し、一端部で一方の線材の外周を両側から被覆して固定し、この被覆固定部とは反対側の他端部に上記一方の線材とは別個の他方の線材の外周を両側から被覆して固定するとともに清掃布の一端部と他端部との間隔は一方及び他方の線材と非固定とした清掃布とからなり、被清掃管の一端から内部に、一方又は他方の線材を被覆固定部方向から挿入し、この一方又は他方の線材を被清掃管の他端から引いて清掃布を被清掃管内に引き入れたときに、清掃布が一方又は他方の線材の外周を被覆しながら被清掃管内に引き込まれることにより、清掃布の外周面と被清掃管の内周面とが接触して、汚物の除去を行うとともに、他方又は一方の線材を引いて被清掃管の一端側に清掃布を引戻し可能としたことを特徴とする管内の清掃器具。
【請求項３】
清掃目的の被清掃管内に挿入するための軟弾性の線材と、幅径を少なくとも被清掃管の内周径以上とし、短冊状に形成し、線材の軸方向と平行に又は軸方向に傾斜して長さ方向を配置するとともに一端部で線材の外周を両側から被覆して固定し、この被覆固定部とは反対側の他端部に被清掃管内からの引戻し用の引戻細線を取り付け、この引戻細線と線材との間隔は線材及び引戻細線とは非固定とした清掃布とからなり、被清掃管の一端から内部に、線材を被覆固定部方向から挿入し、この線材を被清掃管の他端から引いて清掃布を被清掃管内に引き入れたときに、清掃布が線材の外周を被覆しながら被清掃管内に引き込まれることにより、清掃布の外周面と被清掃管の内周面とが接触して、汚物の除去を行うとともに、引戻し用の引戻細線を引いて被清掃管の一端側に清掃布を引戻し可能としたことを特徴とする管内の清掃器具。
【請求項４】
清掃布は、１枚を線材に配置することを特徴とする請求項１、２又は３の管内の清掃器具。
【請求項５】
清掃布は、複数枚を一定の間隔を介して線材の複数箇所に配置することを特徴とする請求項１の管内の清掃器具。
【請求項６】
清掃布は、複数枚を線材の複数箇所に、各被覆固定部の合わせ目部の向きを周方向にずらして配置することを特徴とする請求項１又は５の管内の清掃器具。
【請求項７】
清掃布は、線材に被覆固定する一端部をテーパー状としたことを特徴とする請求項１、２、３、４、５又は６の管内の清掃器具。
【請求項８】
清掃布は、マイクロファイバー製であることを特徴とする請求項１、２、３、４、５、６又は７の管内の清掃器具。
【請求項９】
清掃布は、被清掃管内に引き入れた状態で長さ方向の両側部を重ねて配置することを特徴とする請求項１、２、３、４、５、６、７又は８の管内の清掃器具。
【請求項１０】
他方又は一方の線材は、清掃布が被清掃管内で詰まった場合に引いて清掃布を被清掃管の一端側に引戻すものであることを特徴とする請求項２の管内の清掃器具。
【請求項１１】
引戻し用の引戻細線は、清掃布の他端部に開けた挿通穴に挿通して取り付けるものであることを特徴とする請求項３の管内の清掃器具。
【請求項１２】
引戻し用の引戻細線は、清掃布が被清掃管内で詰まった場合に引いて清掃布を被清掃管の一端側に引戻すものであることを特徴とする請求項３の管内の清掃器具。
【請求項１３】
被覆固定部は、外周に熱収縮性の保護キャップを被覆し、この保護キャップを熱収縮させることにより清掃布を線材に締付固定し、被清掃管内で清掃布が線材から脱落することを防止可能としたことを特徴とする請求項１、２又は３の管内の清掃器具。
【請求項１４】
挿通穴に挿通した引戻細線は、挿通穴を貫通した先端部と本体部とを金属製の固定部材で連結固定し、この固定部材を軟弾性材製のカバーチューブで被覆することにより、固定部材による被清掃管の内面の損傷を防止可能としたことを特徴とする請求項３又は１１の管内の清掃器具。
【発明の詳細な説明】
【技術分野】
【０００１】
本発明は、内視鏡、管楽器等の管内を清掃するための管内の清掃器具に関するものである。
【背景技術】
【０００２】
内視鏡、管楽器等の被清掃管の内周面を清掃するための器具としては、例えば、特許文献１に示す如く、正方形の清掃布に線材を固定し、この線材を被清掃管内に一端から挿入して被清掃管の他端から線材を引き抜くと、清掃布が被清掃管の内周面に接触して、この内周面に付着している汚物を除去する清掃器具が知られている。また、特許文献２に示す如く、ブラシを被清掃管の端部から挿入して、内部で往復させて被清掃管内を清掃するもの、また、特許文献３に示す如く、複数の環状の突出部を線材に設け、この線材を被清掃管内に挿入して、環状の突出部を被清掃管の内周面に接触させ、この内周面に付着している汚物を除去するもの等が知られている。【０００３】
【特許文献１】実開昭６１−１２４０９９号公報
【特許文献２】特開平８−１７３３７９号公報
【特許文献３】特表２００２−５２３１３１号公報
【発明の開示】
【発明が解決しようとする課題】
【０００４】
しかしながら、上記特許文献１は、正方形の清掃布に線材を単に固定するものであるため、線材を介して清掃布を被清掃管内に挿入すると、清掃布が不規則に折れ曲がるなどしてシワができる。そして、このシワにより、被清掃管の内周面の全面に清掃布が面接触せず、被清掃管の内周面に付着した汚物を十分に除去できないものであった。また、特許文献２のようなブラシで清掃する場合は、ブラシの毛と被清掃管の内周面はほぼ点接触であるために、汚物を確実に除去することは困難であるという問題点を有していた。また、特許文献３に示す器具では、突出部と被清掃管の内周面とが点接触又は線接触程度で、接触面積が小さく、被清掃管の内周面に付着した汚物を十分に除去できない場合があるし、突出部を含めた線材の寸法が被清掃管の内径より小さいと清掃能力が著しく低下するために、使用可能範囲が被清掃管の内径の大きさに囚われるという問題点があった。この点は、特許文献２のブラシの場合も同様である。さらに、特許文献３に示す器具では、被清掃管の内径が途中で変化した場合には、この変化に対応できないという問題点も有していた。【０００５】
そして汚物が十分に除去できていないと不衛生なものとなり、特に、内視鏡などの人体内に挿入して使用するものの場合には、汚物が十分除去できていないことによって感染症などを引き起こす可能性があった。【０００６】
そこで本発明は、上述の如き課題を解決するものであって、被清掃管内を清掃するための清掃器具を、被清掃管の内周面と面接触させて汚物を除去することにより、被清掃管の内周面を欠落なく清掃可能とするとともに、被清掃管の内径の大きさに厳密には囚われずに使用可能とする。また、被清掃管の内径が入口と出口の途中で変化するものであっても、この変化に対応して汚物の除去を可能にしようとするものである。
【課題を解決するための手段】
【０００７】
そこで、上述の如き課題を解決するため、本件第１発明は、清掃目的の被清掃管内に挿入するための軟弾性の線材と、幅径を少なくとも被清掃管の内周径以上とし、短冊状に形成し、線材の軸方向と平行に又は軸方向に傾斜して長さ方向を配置するとともに一端部で線材の外周を両側から被覆して固定し、この被覆固定部とは反対側の他端方向を線材とは非固定とした清掃布とからなり、被清掃管の一端から内部に、線材を被覆固定部方向から挿入し、この線材を被清掃管の他端から引いて清掃布を被清掃管内に引き入れたときに、清掃布が線材の外周を被覆しながら被清掃管内に引き込まれることにより、清掃布の外周面と被清掃管の内周面とが接触して、汚物の除去を行うものである。【０００８】
また、本件第２発明は、清掃目的の被清掃管内に挿入するための軟弾性の一方及び他方の線材と、幅径を少なくとも被清掃管の内周径以上とし、短冊状に形成し、一方の線材の軸方向と平行に又は軸方向に傾斜して長さ方向を配置し、一端部で一方の線材の外周を両側から被覆して固定し、この被覆固定部とは反対側の他端部に上記一方の線材とは別個の他方の線材の外周を両側から被覆して固定するとともに清掃布の一端部と他端部の間隔は一方及び他方の線材と非固定とした清掃布とからなり、被清掃管の一端から内部に、一方又は他方の線材を被覆固定部方向から挿入し、この一方又は他方の線材を被清掃管の他端から引いて清掃布を被清掃管内に引き入れたときに、清掃布が一方又は他方の線材の外周を被覆しながら被清掃管内に引き込まれることにより、清掃布の外周面と被清掃管の内周面とが接触して、汚物の除去を行うとともに、他方又は一方の線材を引いて被清掃管の一端側に清掃布を引戻し可能としたものである。【０００９】
また、本件第３発明は、清掃目的の被清掃管内に挿入するための軟弾性の線材と、幅径を少なくとも被清掃管の内周径以上とし、短冊状に形成し、線材の軸方向と平行に又は軸方向に傾斜して長さ方向を配置するとともに一端部で線材の外周を両側から被覆して固定し、この被覆固定部とは反対側の他端部に被清掃管内からの引戻し用の引戻細線を取り付け、この引戻細線と線材との間隔は線材及び引戻細線とは非固定とした清掃布とからなり、被清掃管の一端から内部に、線材を被覆固定部方向から挿入し、この線材を被清掃管の他端から引いて清掃布を被清掃管内に引き入れたときに、清掃布が線材の外周を被覆しながら被清掃管内に引き込まれることにより、清掃布の外周面と被清掃管の内周面とが接触して、汚物の除去を行うとともに、引戻し用の引戻細線を引いて被清掃管の一端側に清掃布を引戻し可能としたものである。【００１０】
また、清掃布は、１枚を線材に配置するものであってもよい。【００１１】
また、清掃布は、複数枚を一定の間隔を介して線材の複数箇所に配置するものであってもよい。【００１２】
また、清掃布は、複数枚を線材の複数箇所に、各被覆固定部の合わせ目部の向きを周方向にずらして配置するものであってもよい。【００１３】
また、清掃布は、線材に被覆固定する一端部をテーパー状としたものであってもよい。【００１４】
また、清掃布は、マイクロファイバー製であってもよい。【００１５】
また、清掃布は、被清掃管内に引き入れた状態で長さ方向の両側部を重ねて配置するものであってもよい。【００１６】
また、他方又は一方の線材は、清掃布が被清掃管内で詰まった場合に引いて清掃布を被清掃管の一端側に引戻すものであってもよい。【００１７】
また、引戻し用の引戻細線は、清掃布の他端部に開けた挿通穴に挿通して取り付けるものであってもよい。【００１８】
また、引戻し用の引戻細線は、清掃布が被清掃管内で詰まった場合に引いて清掃布を被清掃管の一端側に引戻すものであってもよい。【００１９】
また、被覆固定部は、外周に熱収縮性の保護キャップを被覆し、この保護キャップを熱収縮させることにより清掃布を線材に締付固定し、被清掃管内で清掃布が線材から脱落することを防止可能としたものであってもよい。【００２０】
また、挿通穴に挿通した引戻細線は、挿通穴を貫通した先端部と本体部とを金属製の固定部材で連結固定し、この固定部材を軟弾性材製のカバーチューブで被覆することにより、固定部材による被清掃管の内面の損傷を防止可能としたものであってもよい。
【発明の効果】
【００２１】
第１の発明では、上述の如く構成したものであって、清掃布の一端を線材に被覆固定したことにより、被清掃管の一端から線材を挿入し、清掃布を被清掃管内に引き入れたとき、清掃布が線材の外周を被覆するとともに、被清掃管の内周面の形状に合わせて円筒状に巻込み変形し、この状態で清掃布が被清掃管内に引き込まれる。これにより、被清掃管の内周面の形状に沿って清掃布が面接触することが可能となり、被清掃管の内周面に付着した汚物を清掃布の広い面積で除去可能となる。【００２２】
また、清掃布は周方向に変形可能であるため、被清掃管の内径が多少異なるものにも広く対応して使用することが可能となる。また、被清掃管の内径が入口と出口の途中で変化するものであっても、この変化に対応して清掃布が形作る円筒形状の直径が変形し、被清掃管の内周面に沿って面接触可能とする。また、清掃布は被清掃管の内周面に沿って円筒状に変形するから、不規則な変形によるシワを発生させることが少ない。また、仮に一部にシワを発生させたとしても、このシワの発生部分の前後の清掃布が被清掃管の内周面に面接触するため、拭き残しを生じることもない。【００２３】
また、第２の発明では、被清掃管の一端から内部に、清掃布を被覆固定部方向から挿入した状態に於いて、清掃布の他端部に固定した一方又は他方の線材を引くと、清掃布を被清掃管の一端側に引き戻すことが可能となる。同様に、第３の発明では、被清掃管の一端から内部に、清掃布を被覆固定部方向から挿入した状態に於いて、清掃布の他端部に取り付けた引戻細線を引くと、清掃布を被清掃管の一端側に引き戻すことが可能となる。したがって、第２及び第３の発明では、例えば被清掃管内に挿入した清掃布が何等かの理由で被清掃管の途中で引っ掛かったり詰まったりして、被清掃管の他端側からの引き抜きができないような事態が万一発生した場合に、上記一方若しくは他方の線材又は引戻細線を引くことにより清掃布を被清掃管の一端側に引戻し、被清掃管内の清掃をやり直すことができる。
【図面の簡単な説明】
【００２４】
【図１】本件第１発明の実施例１を示す斜視図。
【図２】図１の清掃布の部分拡大平面図。
【図３】線材とともに清掃布が被清掃管に進入する状態を示す斜視図。
【図４】本件第１発明の実施例２を示す斜視図。
【図５】本件第２発明の実施例３を示す斜視図。
【図６】本件第３発明の実施例４を示す斜視図。
【図７】図６の清掃布の部分拡大斜視図。
【図８】本件第３発明の実施例５を示す斜視図。
【図９】図８のＡ−Ａ線断面図。
【図１０】図８の引戻細線部分の拡大図。
【符号の説明】
【００２５】
１  線材
２  被清掃管
５  内周面
６  清掃布
７  一端部
８  被覆固定部
１１  外周面
１２  合わせ目部
１５  引戻細線
１６  挿通穴
１７  固定部材
１８  保護キャップ
２０  カバーチューブ
【実施例１】
【００２６】
以下、本件第１発明に係る実施例１を図面を用いて説明すると、(１)は軟弾性の素材を用いた線材であり、図３に示す如く、清掃目的物である内視鏡や管楽器等の被清掃管(２)の内部に挿入し、この被清掃管(２)の一端(３)から他端(４)まで容易に貫通し得る強度と柔軟性を有するものである。そして、図１に示す如く、被清掃管(２)の内周面(５)を清掃するための１枚の清掃布(６)の一端部(７)を線材(１)に被覆固定し、被覆固定部(８)としている。この清掃布(６)は、マイクロファイバー製で短冊状であり、幅径を被清掃管(２)の内周径以上とし、被覆固定部(８)とは反対側の他端部(９)を線材(１)とは非固定としている。【００２７】
また、清掃布(６)の線材(１)への被覆固定は、図１に示す如く、線材(１)の軸方向と平行に清掃布(６)の長さ方向を配置し、この状態に於いて、清掃布(６)の一端部(７)で線材(１)の外周を両側から被覆固定することにより行う。そうすると、被覆固定部(８)に連続する部分が円錐状部(１０)を形成する。清掃布(６)は、図２に示す如く、一端部(７)をテーパー状にするなどして、線材(１)を被覆した際に線材(１)を含む被覆固定部(８)の直径が大きくならないとともに円錐状部(１０)を形成しやすくすることが好ましい。【００２８】
また、清掃布(６)の幅径は、被清掃管(２)の内周径以上であることが望ましく、清掃布(６)の幅径が被清掃管(２)の内周径より少し大きいと、清掃布(６)の長さ方向の側部(１４)同士が重なることなく突き当り接触し、被清掃管(２)の内周面(５)方向への拡張圧力を生じ、内周面(５)に密着する。そのため、被清掃管(２)の内周面(５)に付着した汚物を清掃布(６)で確実に除去可能となる。【００２９】
また、清掃布(６)の幅径が上記実施例よりもさらに被清掃管(２)の内周径より大きければ、清掃布(６)が被清掃管(２)内に進入した際に、清掃布(６)の長さ方向の側部(１４)が重なった状態となり、この重なり部分の清掃布(６)の相互に接触摩擦力が生じ、清掃布(６)の円筒形保持力が強固となる。したがって、被清掃管(２)の内周面(５)に清掃布(６)の外周面(１１)が強固に密着するため、内周面(５)に付着した汚物を清掃布(６)で確実に除去可能となる。また、このとき清掃布(６)にはシワの発生が少なく、仮に清掃布(６)の一部にシワが発生したとしても、このシワの発生部分の前後の清掃布(６)が被清掃管(２)の内周面(５)に面接触するため、この内周面(５)の汚物を確実に除去可能となる。また、清掃布(６)は長さ方向の両側部(１４)が単に重なって接触しているものであるので、重なり量が変化することにより直径が容易に変形可能である。したがって、清掃布(６)の幅径をこのようにすると、被清掃管(２)の内径が一端(３)と他端(４)の途中で変化するものであってもこの変化に対応可能なものとなる。【００３０】
また、清掃布(６)の幅径と被清掃管(２)の内周径が等しいと、清掃布(６)が被清掃管(２)内に進入した際に、清掃布(６)の長さ方向の側部(１４)同士が接触するために、被清掃管(２)の内周面(５)の全面に清掃布(６)の外周面(１１)が接触し、被清掃管(２)の内周面(５)に付着した汚物を除去可能となるが、上記の清掃布(６)の側部(１４)が突き当り接触する場合や重なる場合に比較すると、被清掃管(２)の内周面(５)に対する拡張圧力は小さなものとなる。【００３１】
また、清掃布(６)の幅径が被清掃管(２)の内周径より狭いと、清掃布(６)の外周面(１１)が被清掃管(２)の内周面(５)に挿入接触した際に、清掃布(６)の長さ方向の側部(１４)同士が接触しないため、拭き残し部分を生じるとともに清掃布(６)の円筒形保持力が小さなものとなり、被清掃管(２)の内周面(５)方向への十分な圧力が得られず、内周面(５)に付着した汚物を十分に除去できないものとなる。【００３２】
このように形成したものにおいて、被清掃管(２)の一端(３)から線材(１)を挿入し、被清掃管(２)の他端(４)から出てきた線材(１)を引き出すと、図３に示す如く、線材(１)とともに被覆固定部(８)側から被清掃管(２)内に清掃布(６)が引き込まれる。この引き込みにより、清掃布(６)の被覆固定部(８)に連続する円錐状部(１０)から先の非固定部分が被清掃管(２)の内周形状に沿った形状となりながら被清掃管(２)内に進入する。これにより、清掃布(６)の外周面(１１)と被清掃管(２)の内周面(５)とが面接触した状態で被清掃管(２)内を進み、被清掃管(２)の内周面(５)に付着した汚物を清掃布(６)で拭き取り、除去できる。【００３３】
なお、本実施例においては、線材(１)の軸方向と清掃布(６)の長さ方向とを平行に配置した状態で、清掃布(６)を線材(１)に被覆固定しているが、他の異なる実施例においては、清掃布(６)の長さ方向を、線材(１)の軸方向に傾斜して配置した状態で、清掃布(６)の一端部(７)を線材(１)の外周に両側から被覆固定することも可能である。この場合は、線材(１)とともに清掃布(６)を被清掃管(２)内に引き込んだ際に、清掃布(６)の被覆固定部(８)の合わせ目部(１２)がやや螺旋状を描きながら重なり合って被清掃管(２)内に進入する。【００３４】
そうすると、清掃布(６)の側部端面(１３)が被清掃管(２)の内周面(５)と線接触することとなり、清掃布(６)の側部端面(１３)のエッジ効果によって内周面(５)に強固に付着している汚物を削ぎ取ることができる。また、上記線材(１)の軸方向と清掃布(６)の長さ方向とを平行に配置した場合と同様に、側部端面(１３)以外の清掃布(６)の外周面(１１)と被清掃管(２)の内周面(５)とが面接触した状態で被清掃管(２)内を進み、被清掃管(２)の内周面(５)に付着した汚物を清掃布(６)で拭き取り、除去できる。
【実施例２】
【００３５】
また、上記実施例１では、線材(１)を被覆固定した清掃布(６)を１枚としたものについて説明したが、実施例２では清掃布(６)を２枚としたものについて説明する。この場合は、図４に示す如く、２枚の清掃布(６)を、一定の間隔を介して線材(１)の２箇所に配置して線材(１)の外周を両側から被覆固定する。このように２枚の清掃布(６)を線材(１)に被覆固定することで、上記実施例１の場合と比較して清掃布(６)の外周面(１１)と被清掃管(２)の内周面(５)との接触面積が増加する。したがって、最初に被清掃管(２)内に進入した清掃布(６)で万一汚物を除去しきれなかった場合でも、後続の清掃布(６)で除去でき、汚物の除去をより確実なものとすることが可能となる。【００３６】
また、本実施例では上述の如く２枚の清掃布(６)を線材(１)の外周に被覆固定しているが、他の異なる実施例に於いては、清掃布(６)は、必要に応じて３枚以上を一定の間隔を介して線材(１)の外周に固定することも勿論可能である。この場合も上記と同様に、接触面積の増加によって、内周面(５)に付着した汚物をより確実に除去可能となる。【００３７】
また、清掃布(６)の被覆固定部(８)の合わせ目部(１２)の向きを、図４に示す如く、線材(１)の周方向においてそれぞれずらして２枚の清掃布(６)を線材(１)に被覆固定する。これにより、上記実施例１の場合に比べて清掃布(６)の線材(１)への被覆固定が複雑となるが、清掃布(６)が被清掃管(２)内を進行した際に、万一清掃布(６)の長さ方向の側部(１４)同士の接触部分において被清掃管(２)の内周面(５)に汚物の拭き残しが生じた場合にも、合わせ目部(１２)を線材(１)の周方向にずらした後続の清掃布(６)の外周面(１１)がこの拭き残し部分に接触することによって、この拭き残した汚物を除去することができ、汚物の除去をより確実なものとすることができる。
【実施例３】
【００３８】
また、上記実施例１及び２では、清掃布(６)の他端部(９)を線材(１)とは非固定としたが、実施例３は、清掃布(６)の一端部(７)に固定した一方の線材(1a)とは別個に形成し、この一方の線材(1a)と同一素材の他方の線材(1b)を清掃布(６)の他端部(９)に、一方の線材(1a)と同様に固定したものである。具体的には、図５に示す如く、清掃布(６)の一端部(７)に固定する一方の線材(1a)の軸方向を短冊状の清掃布(６)の長さ方向と平行に配置した状態で、清掃布(６)の一端部(７)で一方の線材(1a)の外周を両側から被覆して固定する。また、一方の線材(1a)とは別個に形成した軟弾性の他方の線材(1b)の軸方向を清掃布(６)の長さ方向と平行に配置し、清掃布(６)の他端部(９)で上記他方の線材(1b)の外周を両側から被覆して固定する。また、清掃布(６)の一端部(７)と他端部(９)との間隔は、一方の線材(1a)及び他方の線材(1b)とは非固定とする。【００３９】
上述の如く構成したものに於いて、上記実施例１及び２の場合と比較して構成が多少複雑となるが、一方の線材(1a)を被清掃管(２)の一端(３)から挿入し、この一方の線材(1a)を被清掃管(２)の他端(４)から引いて清掃布(６)を被清掃管(２)内に引き入れた場合の清掃効果については前記実施例１と同様の作用効果となる。しかし、万一この清掃の過程で何等かの理由により被清掃管(２)内で一方の線材(1a)又は清掃布(６)が引っ掛かったり詰まる等して、被清掃管(２)の他端(４)側からの引き抜きができなくなる事態が生じた場合には、清掃布(６)の他端部(９)に被覆固定した他方の線材(1b)の被清掃管(２)から外部に突出している部分を、引戻方向に引くことにより、清掃布(６)を被清掃管(２)の一端(３)側に引き戻すことが可能となる。したがって、例えば被清掃管(２)内で固形化した汚物等の障害物に清掃布(６)が引っかかる等して、一方の線材(1a)を被清掃管(２)の他端(４)から引いても清掃布(６)を引き抜けない場合等に有効なものである。【００４０】
また、清掃布(６)の一端部(７)と他端部(９)との間隔は、図５に示す如く、一方の線材(1a)及び他方の線材(1b)とは非固定としたため、清掃布(６)を被清掃管(２)内に引き入れた際に、清掃布(６)が被清掃管(２)の内周形状に沿って変形することは前記実施例１及び２と全く同一であり、被清掃管(２)の内周面(５)を清掃可能となる。【００４１】
なお、清掃布(６)を被清掃管(２)内に引き入れるために被清掃管(２)の一端(３)から挿入する線材(１)は、上記では一方の線材(1a)としているが、他方の線材(1b)とすることも可能である。したがってこの場合には、万一被清掃管(２)内で何等かの理由で清掃布(６)が引っ掛かったり詰まるような事態が生じた場合に、一方の線材(1a)を引戻方向に引けば清掃布(６)を被清掃管(２)の一端(３)側に引き戻すことが可能となる。
【実施例４】
【００４２】
また、上記実施例１及び２では清掃布(６)の他端部(９)を線材(１)とは非固定とし、上記実施例３では清掃布(６)の両端に同一素材の線材(１)を固定したものであるが、実施例４では、清掃布(６)の他端部(９)に引戻し用の引戻細線(１５)を固定し、被清掃管(２)の一端(３)から内部に挿入した清掃布(６)を被清掃管(２)の一端(３)側へ引き戻すことを可能としたものである。具体的には、図６及び図７に示す如く、一端部(７)で線材(１)を被覆固定した短冊状の清掃布(６)の他端部(９)に挿通穴(１６)を開け、この挿通穴(１６)に清掃布(６)を引き戻すための軟弾性の引戻細線(１５)を挿通し、この引戻細線(１５)をループ状にし、この引戻細線(１５)の先端部と本体部とを金属製の固定部材(１７)を用いて固定する。また、清掃布(６)の、引戻細線(１５)と線材(１)との間隔は、図６に示す如く、線材(１)及び引戻細線(１５)とは非固定とする。【００４３】
上述の如き構成とすることにより、上記実施例３と比較すると、引戻細線(１５)を被清掃管(２)の一端(３)から内部に挿入して、清掃布(６)で被清掃管(２)の内周面(５)の清掃を行うことは困難であるが、清掃布(６)の他端部(９)には線材(１)を上記実施例３の如く精密に取り付ける必要がないため、上記実施例３より簡易に製造することができ、製造コストを低く抑えることが可能となる。また、被清掃管(２)の内周面(５)の清掃過程に於いて、万一被清掃管(２)内で清掃布(６)が詰まる等の事態が生じた場合は、引戻細線(１５)を引くことにより、上記実施例３と同様に、清掃布(６)を被清掃管(２)の一端(３)側に引き戻すことができるものとなる。また、清掃布(６)の、引戻細線(１５)と線材(１)との間隔は、線材(１)とは非固定としたため、清掃布(６)を被清掃管(２)内に引き入れた際に、清掃布(６)が被清掃管(２)の内周形状に沿って変形することは前記実施例１、２及び３と全く同一なものであり、被清掃管(２)の内周面(５)を清掃可能となる。【００４４】
また、図６及び図７に示す如く、清掃布(６)の挿通穴(１６)に挿通した引戻細線(１５)の先端部と本体部分とは、金属製の固定部材(１７)を用いて固定するが、この固定部材(１７)による被清掃管(２)の内面の損傷を防止するため、固定部材(１７)の外周を、図８及び図１０に示す如く、軟弾性樹脂製のカバーチューブ(２０)で被覆するものとしても良い。
【実施例５】
【００４５】
また、上記実施例１〜４では、図１〜図６に示す如く、被覆固定部(８)を線材(１)に固定し、この被覆固定部(８)を露出させたまま、清掃布(６)を被覆固定部(８)から被清掃管(２)に挿入するものとしている。この状態でも十分清掃目的を達成できるものであるが、図８及び図９に示す如く、上記被覆固定部(８)の外周に、ポリオレフィン樹脂等の熱収縮素材で形成した保護キャップ(１８)を被覆して熱収縮により締付固定することにより、線材(１)と清掃布(６)との固定が前記実施例１〜４と比較して更に確実なものとなり、被清掃管(２)内で清掃布(６)が線材(１)から脱落することを確実に防止することができる。
【図１】
2007013196.tif 000002
【図２】
2007013196.tif 000003
【図３】
2007013196.tif 000004
【図４】
2007013196.tif 000005
【図５】
2007013196.tif 000006
【図６】
2007013196.tif 000007
【図７】
2007013196.tif 000008
【図８】
2007013196.tif 000009
【図９】
2007013196.tif 000010
【図１０】
2007013196.tif 000011
【国際調査報告】
2007013196.tif 000012
2007013196.tif 000013
2007013196.tif 000014
2007013196.tif 000015